(57)【要約】【課題】ユーザーの使用状況に応じて適切なタイミングで用紙設定の確認画面をユーザーに表示させることで、従来よりも利便性が高い画像形成装置を提供する。【解決手段】用紙トレイ、前記用紙トレイに用紙がセットされたことを検知する用紙検知センサ、表示部および制御部を備え、前記制御部は、前記用紙検知センサが前記用紙トレイに用紙を検知したとき、用紙設定の確認画面を前記表示部に表示させるべきか否かを判定し、予め定められた確認不要条件に該当する場合は、前記確認画面を前記表示部に表示させず、前記確認不要条件に該当しない場合は、前記確認画面を前記表示部に表示させることを特徴とする画像形成装置。【選択図】図６
2019113682.tif 000002
【特許請求の範囲】
【請求項１】
用紙トレイ、前記用紙トレイに用紙がセットされたことを検知する用紙検知センサ、表示部および制御部を備え、
前記制御部は、前記用紙検知センサが前記用紙トレイに用紙を検知したとき、用紙設定の確認画面を前記表示部に表示させるべきか否かを判定し、予め定められた確認不要条件に該当する場合は、前記確認画面を前記表示部に表示させず、前記確認不要条件に該当しない場合は、前記確認画面を前記表示部に表示させることを特徴とする画像形成装置。
【請求項２】
前記確認不要条件は、前記表示部が用紙の設定画面を表示中の場合を含む請求項１に記載の画像形成装置。
【請求項３】
前記確認不要条件は、前記表示部が予め定められたマニュアルまたはメッセージを表示中の場合を含む請求項１または２に記載の画像形成装置。
【請求項４】
ユーザー認証部をさらに備え、
前記確認不要条件は、前記ユーザー認証部によってユーザー認証がされていない場合を含む請求項１〜３のいずれか１つに記載の画像形成装置。
【請求項５】
エラー報知部をさらに備え、
前記確認不要条件は、前記エラー報知部がエラーを報知中の場合を含む請求項１〜４のいずれか１つに記載の画像形成装置。
【請求項６】
省電力モード移行部をさらに備え、
前記確認不要条件は、前記省電力モード移行部によって省電力モードに移行中の場合を含む請求項１〜５のいずれか１つに記載の画像形成装置。
【請求項７】
前記確認不要条件は、前記用紙トレイから画像形成が実行中の場合を含む請求項１〜６のいずれか１つに記載の画像形成装置。
【請求項８】
前記制御部は、前記表示部が前記確認画面を表示した後、前記用紙検知センサが前記用紙トレイにセットされた用紙を検知しなくなった場合、前記表示部に前記確認画面を表示させたままにする請求項１〜７のいずれか１つに記載の画像形成装置。
【発明の詳細な説明】
【技術分野】
【０００１】
この発明は、画像形成装置に関する。
【背景技術】
【０００２】
画像形成装置の給紙トレイ、特に手差トレイは、コスト等の問題から自動用紙サイズ検知機能を有しないものがある。
このような画像形成装置においては、ユーザーが予め設定した用紙サイズおよび用紙種別に基づき、用紙の搬送や定着の制御が行われるが、設定と異なる用紙が給紙トレイにセットされると、紙詰まりや定着不良等の問題が生じることがある。
【０００３】
このような問題を解決するため、従来、手差しトレイに用紙がセットされたことを検知したら、操作パネルの表示部に、手差し用紙設定画面をポップアップすることにより、ユーザーに手差しトレイにセットされた用紙のサイズ情報や紙種情報の入力を行うように誘導する画像形成装置の発明が開示されている（例えば、特許文献１を参照）。
【先行技術文献】
【特許文献】
【０００４】
【特許文献１】特開２０１５−８７４７０号公報
【発明の概要】
【発明が解決しようとする課題】
【０００５】
しかしながら、給紙トレイに用紙をセットした際に、一律に表示部に確認画面をポップアップさせると、ユーザーの操作の邪魔になるだけでなく、重大なエラー等の表示が確認画面に隠れてしまうため、かえってユーザーの利便性を損なうおそれがある。
【０００６】
この発明は、このような課題に鑑みてなされたものであり、ユーザーの使用状況に応じて適切なタイミングで用紙設定の確認画面をユーザーに表示させることで、従来よりも利便性が高い画像形成装置を提供するものである。
【課題を解決するための手段】
【０００７】
この発明は、用紙トレイ、前記用紙トレイに用紙がセットされたことを検知する用紙検知センサ、表示部および制御部を備え、前記制御部は、前記用紙検知センサが前記用紙トレイに用紙を検知したとき、用紙設定の確認画面を前記表示部に表示させるべきか否かを判定し、予め定められた確認不要条件に該当する場合は、前記確認画面を前記表示部に表示させず、前記確認不要条件に該当しない場合は、前記確認画面を前記表示部に表示させることを特徴とする画像形成装置を提供するものである。
【発明の効果】
【０００８】
この発明によれば、ユーザーの使用状況に応じて適切なタイミングで用紙設定の確認画面をユーザーに表示させることで、従来よりも利便性が高い画像形成装置を実現できる。
【図面の簡単な説明】
【０００９】
【図１】この発明のデジタル複合機の外観を示す斜視図である。
【図２】図１のデジタル複合機を別の角度から見た斜視図である。
【図３】図１のデジタル複合機の平面図である。
【図４】図１のデジタル複合機のパネルユニットを示す説明図である。
【図５】図１のデジタル複合機の概略構成を示すブロック図である。
【図６】図１のデジタル複合機の用紙設定の確認画面の表示手順の概略を示すフローチャートである。
【図７】図６の用紙設定の確認画面の表示手順の一例を示すフローチャートである。
【図８】図１のデジタル複合機の用紙設定の確認画面の一例を示す説明図である。
【図９】図１のデジタル複合機の用紙設定画面の一例を示す説明図である。
【図１０】図１のデジタル複合機のコピー画面の一例を示す説明図である。
【図１１】この発明の実施形態３に係るデジタル複合機の用紙設定の確認画面の表示手順の概略を示すフローチャートである。
【発明を実施するための形態】
【００１０】
（１）この発明による画像形成装置は、用紙トレイ、前記用紙トレイに用紙がセットされたことを検知する用紙検知センサ、表示部および制御部を備え、前記制御部は、前記用紙検知センサが前記用紙トレイに用紙を検知したとき、用紙設定の確認画面を前記表示部に表示させるべきか否かを判定し、予め定められた確認不要条件に該当する場合は、前記確認画面を前記表示部に表示させず、前記確認不要条件に該当しない場合は、前記確認画面を前記表示部に表示させることを特徴とする。
【００１１】
この発明において、「用紙トレイ」は、例えば、手差トレイや給紙カセットなど、予め定められたトレイである。なお、用紙トレイは１つに限らず、複数の用紙トレイを対象にするものであってもよい。
「用紙設定の確認画面」は、用紙のタイプやサイズ等の用紙設定の確認画面である。
「確認不要条件」は、用紙設定の確認画面の表示が不要となる条件である。
【００１２】
さらに、この発明の好ましい態様について説明する。
【００１３】
（２）この発明の画像形成装置において、前記確認不要条件は、前記表示部が用紙の設定画面を表示中の場合を含むものであってもよい。
【００１４】
このようにすれば、用紙の設定画面がすでに表示中である場合は、用紙設定の確認画面を改めて表示する必要性がないため、従来よりも利便性が高い画像形成装置を実現できる。
【００１５】
（３）この発明の画像形成装置において、前記確認不要条件は、前記表示部が予め定められたマニュアルまたはメッセージを表示中の場合を含むものであってもよい。
【００１６】
ここで、「予め定められたマニュアルまたはメッセージ」は、例えば、取扱説明書やユーザーへのメッセージなどである。
【００１７】
このようにすれば、取扱説明書やユーザーへのメッセージなどを表示中の場合は、用紙設定の確認画面の表示によって邪魔されることがないため、従来よりも利便性が高い画像形成装置を実現できる。
【００１８】
（４）この発明の画像形成装置において、ユーザー認証部をさらに備え、前記確認不要条件は、前記ユーザー認証部によってユーザー認証がされていない場合を含むものであってもよい。
【００１９】
ここで、「前記ユーザー認証部によってユーザー認証がされていない」は、例えば、ユーザーが画像形成装置にログインしていない状態である。
【００２０】
このようにすれば、ユーザー認証前は用紙設定の確認画面を表示する必要がなく、また、認証画面が確認画面の表示によって邪魔されることがないため、従来よりも利便性が高い画像形成装置を実現できる。
【００２１】
（５）この発明の画像形成装置において、エラー報知部をさらに備え、前記確認不要条件は、前記エラー報知部がエラーを報知中の場合を含むものであってもよい。
【００２２】
このようにすれば、確認画面の表示によってエラー表示の確認やエラー表示に対する設定が邪魔されることがないため、従来よりも利便性が高い画像形成装置を実現できる。
【００２３】
（６）この発明の画像形成装置において、省電力モード移行部をさらに備え、前記確認不要条件は、前記省電力モード移行部によって省電力モードに移行中の場合を含むものであってもよい。
【００２４】
このようにすれば、省電力モードへの移行中に確認画面が表示されることによって省電力モードが解除されることがないため、従来よりも利便性が高い画像形成装置を実現できる。
【００２５】
（７）この発明の画像形成装置において、前記確認不要条件は、前記用紙トレイから画像形成が実行中の場合を含むものであってもよい。
【００２６】
このようにすれば、用紙トレイから画像形成が実行中の場合は、用紙設定を変更する必要がないため、確認画面の表示を行わないことで、従来よりも利便性が高い画像形成装置を実現できる。
【００２７】
（８）この発明の画像形成装置において、前記制御部は、前記表示部が前記確認画面を表示した後、前記用紙検知センサが前記用紙トレイにセットされた用紙を検知しなくなった場合、前記表示部に前記確認画面を表示させたままにするものであってもよい。
【００２８】
このようにすれば、用紙切れ等で用紙検知センサが用紙トレイにセットされた用紙を検知しなくなった場合、用紙の種類が変更される可能性が低いため、用紙切れ前の用紙設定の確認画面を表示させたままにすることで、従来よりも利便性が高い画像形成装置を実現できる。
【００２９】
以下、図面を用いてこの発明をさらに詳述する。なお、以下の説明は、すべての点で例示であって、この発明を限定するものと解されるべきではない。
【００３０】
〔実施形態１〕
図１〜図４に基づき、この発明の画像形成装置を備えた画像形成装置の一例としてのデジタル複合機１の概要について説明する。
図１は、この発明のデジタル複合機１の外観を示す斜視図である。図２は、図１のデジタル複合機を別の角度から見た斜視図である。図３は、図１のデジタル複合機１の平面図である。図４は、図１のパネルユニット１７の一例を示す説明図である。
【００３１】
デジタル複合機１は、複写機能やスキャナ機能、ファクシミリ機能を有し、原稿から読み取った画像データをデジタル処理して出力する装置である。
【００３２】
図１〜図４に示すように、デジタル複合機１は、手差トレイ１６１、給紙カセット１６２、原稿セット台１６３およびパネルユニット１７を備える。
図４に示すように、パネルユニット１７は、タッチパネル機能を有する表示操作部１７１および物理操作部１７２を備える。
【００３３】
次に、図５に基づき、デジタル複合機１の概略構成を説明する。
図５は、図１のデジタル複合機１の概略構成を示すブロック図である。
図５に示すように、デジタル複合機１は、制御部１０、画像読取部１１、画像形成部１２、記憶部１３、画像処理部１４、通信部１５、給紙部１６およびパネルユニット１７を備える。
以下、デジタル複合機１の各構成要素を説明する。
【００３４】
制御部１０は、デジタル複合機１を統合的に制御するものであって、ＣＰＵ、ＲＡＭ、ＲＯＭ、各種のインターフェース回路等からなる。
制御部１０は、デジタル複合機１全体の動作をコントロールするために、各センサの検知、モーター、クラッチ、パネルユニット１７等、あらゆる負荷の監視・制御を行う。
【００３５】
画像読取部１１は、原稿セット台１６３に置かれたカード等の原稿または用紙トレイから搬送されてきた原稿を検知して読み取り、画像データを生成する部分である。
【００３６】
画像形成部１２は、画像処理部１４によって生成された画像データを用紙上に印刷出力する部分であり、ＬＳＵ１２１を備える。
ＬＳＵ１２１は、画像読取部１１によって取得されたデジタル信号からなる画像情報に対応するレーザー光を帯電状態にある感光体ドラムの表面に照射して、静電潜像を形成する装置である。
【００３７】
記憶部１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００３８】
画像処理部１４は、画像読取部１１によって読み取られた原稿の画像を適正な電気信号に変換して画像データを生成する部分である。また、画像読取部１１から入力された画像データを表示操作部１７１からの指令に従い、拡大・縮小等の出力に適するように処理を行う部分である。また、予め定められたレイアウトに従って複数の画像データを関連付ける部分である。
【００３９】
通信部１５は、ネットワーク等を介して、コンピュータや携帯情報端末、外部の情報処理装置やファクシミリ装置等との通信をおこない、メールやＦＡＸなどの種々の情報をこれら外部の通信装置と送受信する部分である。
【００４０】
給紙部１６は、手差トレイ１６１、給紙カセット１６２および原稿セット台１６３に格納された用紙を画像形成部１２まで搬送する部分である。
【００４１】
パネルユニット１７は、液晶ディスプレイ（Liquid Crystal Display）を備えたユニットであり、表示操作部１７１および物理操作部１７２を備える。
【００４２】
表示操作部１７１は、各種情報の表示を行い、タッチパネル機能によりユーザーからの指令を受け付ける部分である。表示操作部１７１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示操作部１７１を通じて、デジタル複合機１の動作および状態の表示を行う。
【００４３】
＜用紙設定の確認画面の表示手順の概略＞
次に、図６に基づき、この発明の実施形態１に係るデジタル複合機１の用紙設定の確認画面の表示手順の概略について説明する。
図６は、図１のデジタル複合機１の用紙設定の確認画面の表示手順の概略を示すフローチャートである。
【００４４】
図６のステップＳ１において、制御部１０は、手差トレイ１６１に用紙が検知されたか否かを判定する（ステップＳ１）。
手差トレイ１６１に用紙が検知された場合（ステップＳ１の判定がＹｅｓの場合）、制御部１０は、ステップＳ２の判定を行う（ステップＳ２）。
一方、手差トレイ１６１に用紙が検知されていない場合（ステップＳ１の判定がＮｏの場合）、制御部１０は、ステップＳ１の判定を繰り返す（ステップＳ１）。
【００４５】
次に、ステップＳ２において、制御部１０は、予め定められた用紙設定の確認画面の表示の不要条件（以下、「確認不要条件」）が満たされたか否かを判定する（ステップＳ２）。
【００４６】
ここで、用紙設定の確認不要条件の一例を以下の表１に示す。
【００４７】
【表１】
2019113682.tif 000003
【００４８】
以下、表１の各条件について説明する。
【００４９】
１．「用紙設定画面の表示中である」場合、用紙設定の確認画面を重複して表示する必要性がないため、用紙設定の確認不要条件に含めるものとする。
【００５０】
２．「取扱説明書の表示中である」場合、用紙設定の確認画面を表示すると、ユーザーが見たい情報が見られなくなるおそれがあるため、用紙設定の確認不要条件に含めるものとする。
【００５１】
３．「ユーザー認証のログイン前である」場合、ユーザーがログインしていない状態で、用紙設定の変更等の操作ができるのは問題があり、また、確認画面の表示によってログイン画面が邪魔されるおそれもあるため、用紙設定の確認不要条件に含めるものとする。
【００５２】
４．「ジャム／トラブルの警告表示中である」場合、優先度が高いエラー表示や設定画面等が確認画面の表示によって邪魔されるおそれがあるため、用紙設定の確認不要条件に含めるものとする。
【００５３】
５．「メンテナンス要求により停止中である」場合、優先度が高いメンテナンス要求の表示等が確認画面の表示によって邪魔されるおそれがあるため、用紙設定の確認不要条件に含めるものとする。
【００５４】
６．「省エネモード中である」場合、確認画面の表示によって省エネモードが解除されることを防止するため、用紙設定の確認不要条件に含めるものとする。
【００５５】
７．「サービスマンモードの実行中である」場合、サービスマンが点検中に確認画面が表示されて設定画面が邪魔されたり、用紙設定が変えられたりすると問題があるため、用紙設定の確認不要条件に含めるものとする。
【００５６】
８．「対象トレイからの印刷の実行中である」場合、用紙設定が変更されると問題があるため、用紙設定の確認不要条件に含めるものとする。
【００５７】
次に、ステップＳ２において、予め定められた用紙設定の確認不要条件が満たされている場合（ステップＳ２の判定がＹｅｓの場合）、制御部１０は、ステップＳ４の判定を行う（ステップＳ４）。
【００５８】
一方、予め定められた用紙設定の確認不要条件が満たされていない場合（ステップＳ２の判定がＮｏの場合）、制御部１０は、ステップＳ３において、用紙設定の確認画面の表示を行う（ステップＳ３）。
その後、制御部１０は、ステップＳ４の判定を行う（ステップＳ４）。
【００５９】
次に、ステップＳ４において、制御部１０は、表示操作部１７１または物理操作部１７２が印刷指令を受信したか否かを判定する（ステップＳ４）。
表示操作部１７１または物理操作部１７２が印刷指令を受信した場合（ステップＳ４の判定がＹｅｓの場合）、制御部１０は、ステップＳ５において、画像形成部１２に用紙の印刷を実行させる（ステップＳ５）。
その後、制御部１０は、処理を終了する。
【００６０】
一方、表示操作部１７１または物理操作部１７２が印刷指令を受信しなかった場合（ステップＳ４の判定がＮｏの場合）、制御部１０は、ステップＳ４の判定を繰り返す（ステップＳ４）。
【００６１】
次に、図７〜図１０に基づき、図６のステップＳ３の用紙設定の確認画面の表示の詳細について説明する。
図７は、図６の用紙設定の確認画面の表示手順の一例を示すフローチャートである。また、図８は、図１のデジタル複合機１の用紙設定の確認画面の一例を示す説明図である。また、図９は、図１のデジタル複合機１の用紙設定画面の一例を示す説明図である。また、図１０は、図１のデジタル複合機１のコピー画面の一例を示す説明図である。
【００６２】
手差トレイ１６１に用紙が検知されたとき、図７のステップＳ１１において、制御部１０は、用紙設定の確認画面を表示させる（ステップＳ１１）。
【００６３】
図８は、表示操作部１７１にポップアップ表示された用紙設定の確認画面ＣＳ１の一例である。
確認画面ＣＳ１には、「現在の手差トレイの設定は、以下の通りです」とのメッセージとともに、用紙の種類を示す「タイプ：普通紙１（60-79g/m2）」および用紙のサイズを示す「サイズ：A4」が記載されている。
また、「印刷する用紙の異なる場合は、［変更］を押してください。」のメッセージとともに、変更キーＫ１およびＯＫキーＫ２も表示される。
【００６４】
次に、図７のステップＳ１２において、制御部１０は、設定変更キーがタッチされたか否かを判定する（ステップＳ１２）。
設定の変更キーがタッチされた場合（ステップＳ１２の判定がＹｅｓの場合）、制御部１０は、ステップＳ１３において、用紙設定画面を表示させる（ステップＳ１３）。
一方、設定変更キーがタッチされていない場合（ステップＳ１２の判定がＮｏの場合）、制御部１０は、ステップＳ１５の判定を行う（ステップＳ１５）。
【００６５】
図９は、表示操作部１７１にポップアップ表示された用紙設定画面ＳＳ１の一例である。
用紙設定画面ＳＳ１には、「用紙タイプ設定」および「用紙サイズ設定」の２つのタブがあり、図９の例では、用紙タイプ設定のタブが表示され、「普通紙１」が選択されている。
【００６６】
ユーザーは、用紙タイプを変更したい場合、「普通紙２」等の他のキーをタッチする。
用紙サイズを変更したい場合は、ユーザーは、「用紙サイズ設定」のタブを選択した上で、所望の用紙サイズのキーをタッチする。
【００６７】
次に、図７のステップＳ１４において、制御部１０は、表示操作部１７１が設定変更を受け付けたか否かを判定する（ステップＳ１４）。
表示操作部１７１が設定変更を受け付けた場合（ステップＳ１４の判定がＹｅｓの場合）、制御部１０は、ステップＳ１１の処理を繰り返す（ステップＳ１１）。
一方、表示操作部１７１が設定変更を受け付けていない場合（ステップＳ１４の判定がＮｏの場合）、制御部１０は、ステップＳ１３の判定を繰り返す（ステップＳ１３）。
【００６８】
図９の例において、「普通紙１」から「普通紙２」に変更された場合、制御部１０は、「タイプ：普通紙２」に変更した用紙設定の確認画面ＣＳ２を表示操作部１７１にポップアップ表示させる。
【００６９】
次に、図７のステップＳ１５において、制御部１０は、設定確定キーがタッチされたか否かを判定する（ステップＳ１５）。
設定確定キーがタッチされた場合（ステップＳ１５の判定がＹｅｓの場合）、制御部１０は、ステップＳ１６において、コピー画面を表示させる（ステップＳ１６）。
その後、制御部１０は、用紙設定の確認画面の表示処理を終了する。
【００７０】
一方、設定確定キーがタッチされていない場合（ステップＳ１５の判定がＮｏの場合）、制御部１０は、ステップＳ１２の判定を繰り返す（ステップＳ１２）。
【００７１】
図８の例において、設定確定キーとしてのＯＫキーＫ２が押された場合、制御部１０は、図１０に示すようなコピー画面を表示させる。
その後、開始キーＫ３がタッチされると、制御部１０は、画像形成部１２に用紙の印刷を実行させる。
【００７２】
このようにして、手差トレイ１６１に用紙が検知されたとき、確認不要条件が満たされていない場合のみに、用紙設定の確認画面の表示を行うことによって、ユーザーの使用状況に応じて適切なタイミングで用紙設定の確認画面をユーザーに表示させることで、従来よりも利便性が高いデジタル複合機１を実現できる。
【００７３】
〔実施形態２〕
実施形態２として、手差トレイ１６１に用紙が設定された場合に限らず、所定の給紙カセット１６２や原稿セット台１６３に用紙が検知された場合にも、図６および図７の手順に従って用紙設定の確認画面の表示の処理を行うようにしてもよい。
【００７４】
このようにすれば、所定の給紙カセット１６２や原稿セット台１６３の用紙のタイプやサイズを検知する検知センサを備えていないデジタル複合機１であっても、ユーザーの使用状況に応じて適切なタイミングで用紙設定の確認画面をユーザーに表示させることで、従来よりも利便性が高いデジタル複合機１を実現できる。
【００７５】
〔実施形態３〕
次に、図１１に基づき、この発明の実施形態３に係るデジタル複合機１の用紙設定の確認画面の表示手順の概略について説明する。
図１１は、この発明の実施形態２に係るデジタル複合機１の用紙設定の確認画面の表示手順の概略を示すフローチャートである。
【００７６】
なお、図１１のステップＳ２１〜Ｓ２３、Ｓ２５およびＳ２６の処理は、図５のステップＳ１〜Ｓ５の処理と同じであるため、説明を省略する。
ここでは、図１１のステップＳ２４の処理について説明する。
【００７７】
用紙切れ等で用紙検知センサが手差トレイ１６１にセットされた用紙を検知しなくなった場合、ユーザーによって同じ種類の用紙が補充されるため、新たな用紙設定の確認画面を表示する必要がない。
【００７８】
そこで、図１１のステップＳ２３において、用紙設定の確認画面の表示を行った後（ステップＳ２３）、制御部１０は、ステップＳ２４において、手差トレイ１６１に用紙が検知されなくなったか否かを判定する（ステップＳ２４）。
【００７９】
手差トレイ１６１に用紙が検知されなくなった場合（ステップＳ２４の判定がＹｅｓの場合）、制御部１０は、ステップＳ２３の処理を繰り返す（ステップＳ２３）。
一方、手差トレイ１６１に用紙が検知されている場合（ステップＳ２４の判定がＮｏの場合）、制御部１０は、ステップＳ２５の判定を行う（ステップＳ２５）。
【００８０】
このように、手差トレイ１６１に用紙が検知された後、用紙が検知されなくなっても、用紙切れ前の用紙設定の確認画面を表示させたままにすることで、従来よりも利便性が高いデジタル複合機１を実現できる。
【００８１】
〔実施形態４〕
実施形態４として、機能設定用のダイアログ等が表示操作部１７１にすでに表示中であっても、用紙設定の確認画面をその上に表示させ、設定確定キーがタッチされた後、元あったダイアログを表示させるようにしてもよい。
【００８２】
このようにすれば、用紙設定の確認画面を表示操作部１７１に表示させた後、設定確定キーがタッチされた後も、機能設定用のダイアログ等が引き続き表示されるため、設定が続行することが可能となり、従来よりも利便性が高いデジタル複合機１を実現できる。
【００８３】
〔実施形態５〕
実施形態５として、印刷等のジョブ実行中に用紙切れが生じた場合において、用紙の補充をした際も、用紙設定の確認不要条件に加えるものであってもよい。
【００８４】
このようにすれば、印刷等のジョブ実行中に用紙切れが生じた場合、用紙サイズやタイプを変更する必要性がないため、従来よりも利便性が高いデジタル複合機１を実現できる。
【００８５】
〔実施形態６〕
実施形態６として、図１０のコピー基本画面など、ジョブの開始キーＫ３が表示された画面を表示中に、用紙設定の確認画面が表示操作部１７１に表示された場合、開始キーＫ３を操作できないようにしてもよい。
【００８６】
このようにすれば、確認画面の表示中に間違ってジョブの開始キーＫ３がタッチされることを防止できるため、従来よりも利便性が高いデジタル複合機１を実現できる。
【００８７】
〔実施形態７〕
実施形態７として、用紙設定の確認画面の表示対象外の画面を表示操作部１７１に表示させている場合において、手差トレイ１６１に用紙が検知された後、コピー画面に遷移した場合は、用紙設定の確認画面を表示操作部１７１に表示させないようにしてもよい。
【００８８】
ここで、「用紙設定の確認画面の表示対象外の画面」としては、例えば、サービスマンモードの画面などがあげられる。サービスマンは用紙設定操作を熟知していることから、本件の案内表示が無くとも設定漏れを起こすことがなく、また、用紙設定の確認画面を表示すると、かえって作業効率が低くなるためである。
【００８９】
このようにすれば、サービスマンの点検作業における操作手順を削減し、作業効率を高めることができるという効果が得られるため、従来よりも利便性が高いデジタル複合機１を実現できる。
【００９０】
〔実施形態８〕
実施形態８として、所定の給紙カセット１６２用の設定ダイアログが表示中の場合において、手差トレイ１６１に用紙が検知されたとき、用紙設定の確認画面を表示操作部１７１に表示させるようにしてもよい。
【００９１】
その際、給紙カセット１６２の設定は、現在選択中の給紙カセット１６２が選択された状態とし、設定変更キーがタッチされた際に、手差トレイ１６１に切り替える。
【００９２】
このようにすれば、選択中の給紙カセットの設定操作を阻害せず、現在の操作を優先して継続することができるという効果が得られるため、従来よりも利便性が高いデジタル複合機１を実現できる。
【００９３】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００９４】
１：デジタル複合機、    １０：制御部、    １１：画像読取部、    １２：画像形成部、    １３：記憶部、    １４：画像処理部、    １５：通信部、    １６：給紙部、    １７：パネルユニット、    １２１：ＬＳＵ、    １６１：手差トレイ、    １６２：給紙カセット、    １６３：原稿セット台、    １７１：表示操作部、    １７２：物理操作部、    ＣＳ１：確認画面、    Ｋ１：変更キー、    Ｋ２：ＯＫキー、    Ｋ３：開始キー、    ＳＳ１：用紙設定画面
【図１】
2019113682.tif 000004
【図２】
2019113682.tif 000005
【図３】
2019113682.tif 000006
【図４】
2019113682.tif 000007
【図５】
2019113682.tif 000008
【図６】
2019113682.tif 000009
【図７】
2019113682.tif 000010
【図８】
2019113682.tif 000011
【図９】
2019113682.tif 000012
【図１０】
2019113682.tif 000013
【図１１】
2019113682.tif 000014